(57)【要約】【課題】製造コストを抑制しつつ、光透過性を生かした立体感のある装飾を有する弾球遊技機の遊技板を提供する。【解決手段】弾球遊技機の遊技領域を形成する弾球遊技機用の遊技板１０であって、光透過性を有し、使用者側に対向する前面とは反対側の裏面に、所定の断面を持つ曲線状または直線状の凹部１４が形成されている。このため、使用者側から観察すると、凹部１４が太さのある立体的な線として表現されるので、立体感のある意匠を弾球遊技機に施すことが可能となる。また、遊技板１０の後方に装飾部材を設けたり、遊技板１０の裏面側に後面装飾層を設けたりする必要がないので、弾球遊技機の装飾の製造コストが安価となる。【選択図】図１
2019000134.tif 000002
【特許請求の範囲】
【請求項１】
弾球遊技機の遊技領域を形成する弾球遊技機の遊技板であって、
光透過性を有し、
使用者側に対向する前面とは反対側の裏面に、所定の横断面を持つ曲線状または直線状の、凹部、凸部、または、凹部および凸部によって、文字、装飾模様、または、文字および装飾模様が形成されている
ことを特徴とする弾球遊技機の遊技板。
【請求項２】
弾球遊技機の遊技領域を形成する弾球遊技機の遊技板であって、
光透過性を有し、
使用者側に対向する前面とは反対側の裏面に、所定の横断面を持つ曲線状または直線状の、凹部、凸部、または、凹部および凸部が形成されており、
前記凹部は少なくとも１カ所が相互に交差している
ことを特徴とする弾球遊技機の遊技板。
【請求項３】
前記凹部または凸部の表面の少なくとも一部に着色が施されている
ことを特徴とする請求項１又は２の記載の弾球遊技機の遊技板。
【請求項４】
請求項１から３の何れか１項の弾球遊技機の遊技板の製造方法であって、
前記凹部または凸部は切削加工により形成されたものである
ことを特徴とする弾球遊技機の遊技板の製造方法。
【発明の詳細な説明】
【技術分野】
【０００１】
本発明は、パチンコ機、雀球遊技機、スマートボール遊技機等、遊技球を遊技媒体として用いる弾球遊技機の遊技板に関する。
【背景技術】
【０００２】
従来、遊技板とガイドレールにより形成され、遊技球が落下する遊技領域を備え、遊技板には障害釘や風車等が配設されて、遊技球の落下経路に変化が与えられる弾球遊技機が知られている。弾球遊技機の遊技板は、特許文献１および特許文献２のように、環境保護の観点や意匠上の観点から、近年は合板製に代えて樹脂製のもの、例えば、光透過性を有する合成樹脂製のものが提案されている。
【先行技術文献】
【特許文献】
【０００３】
【特許文献１】特開２０１５−１０４３９２号公報
【特許文献２】特開２００７−２８９３５９号公報
【発明の概要】
【発明が解決しようとする課題】
【０００４】
ところで、光透過性を有する遊技板によりデザイン性を向上させるために装飾を施すにあたって、特許文献１のように透明な箇所を有する前面装飾層と後面装飾層を遊技板に設けたり、特許文献２のように遊技板の後方に装飾部材を配置したりすると、部品点数が多くなり且つ組立工数が増加するため、弾球遊技機の遊技板の製造コストが増大するといった問題があった。
【０００５】
本発明は、以上の事情を背景として為されたものであり、その目的とするところは、製造コストを抑制しつつ、光透過性を生かした立体感のある装飾を有する弾球遊技機の遊技板を提供することにある。
【課題を解決するための手段】
【０００６】
前記目的を達成する為の第１発明の要旨とするところは、弾球遊技機の遊技領域を形成する弾球遊技機の遊技板であって、光透過性を有し、使用者側に対向する前面とは反対側の裏面に、所定の断面を持つ曲線状または直線状の、凹部、凸部、または、凹部および凸部によって、文字、装飾模様、文字および装飾模様が形成されていることを特徴とすることにある。
【０００７】
前記目的を達成する為の第２発明の要旨とするところは、弾球遊技機の遊技領域を形成する弾球遊技機の遊技板であって、光透過性を有し、使用者側に対向する前面とは反対側の裏面に、所定の横断面を持つ曲線状または直線状の、凹部、凸部、または、凹部および凸部が形成されており、前記凹部は少なくとも１カ所が相互に交差していることを特徴とすることにある。
【発明の効果】
【０００８】
第１発明によれば、弾球遊技機の遊技領域を形成する弾球遊技機の遊技板であって、光透過性を有し、使用者側に対向する前面とは反対側の裏面に、所定の断面を持つ曲線状または直線状の、凹部、凸部、または、凹部および凸部によって、文字、装飾模様、または、文字および装飾模様が形成されている。このため、使用者側から観察すると、前記凹部、凸部、または、凹部および凸部が太さのある立体的な線として表わされて、文字や装飾模様が浮かび上がって見えるので、立体感のある意匠を弾球遊技機に一体に施すことが可能となる。また、前記遊技板の後方に別部品である装飾部材を設けたり、前記遊技板の裏面に後面装飾層を設けたりする工数を必要としないので、安い製造コストで弾球遊技機に装飾を施すことができる。
【０００９】
第２発明によれば、弾球遊技機の遊技領域を形成する弾球遊技機の遊技板であって、光透過性を有し、使用者側に対向する前面とは反対側の裏面に、所定の断面を持つ曲線状または直線状の、凹部、凸部、または、凹部および凸部が形成されており、前記凹部は少なくとも１カ所が相互に交差している。このため、使用者側から観察すると、前記凹部、凸部、または、凹部および凸部が太さのある立体的な線として表わされ、さらに前記凹部による立体的な線同士が交差することになるので、立体感のある意匠を弾球遊技機に一体に施すことが可能となる。また、前記遊技板の後方に別部品である装飾部材を設けたり、前記遊技板の裏面に後面装飾層を設けたりする工数を必要としないので、安い製造コストで弾球遊技機に装飾を施すことができる。
【００１０】
また、好適には、前記凹部または凸部の表面の少なくとも一部に着色が施されていることを特徴とする。このようにすれば、使用者側から観察すると、前記着色された一部により意匠の陰影や色彩が強調されるので、鮮やかな意匠を安価に弾球遊技機の遊技板に施すことが可能となる。
【００１１】
また、好適には、前記凹部または凸部は切削により形成されたものである。このため、切削工程を追加するだけで立体感のある意匠を追加することができるので、設備投資を抑制することができ、安い製造コストで弾球遊技機の遊技板に装飾を施すことができる。
【図面の簡単な説明】
【００１２】
【図１】弾球遊技機に備えられる本発明の一実施例の遊技板の正面図である。
【図２】図１の凹部を拡大して示す図であって、図１のII−II視断面図である。
【図３】他の例の凹部の断面形状を示す図であって、図２に対応する図である。
【図４】他の例の凹部の断面形状を示す図であって、図２に対応する図である。
【図５】他の例の凹部の断面形状を示す図であって、図２に対応する図である。
【図６】図５に示された形状の凹部が交差した箇所を示す図であって、図１のVI−VI視断面図である。
【図７】他の例の凹部の断面形状を示す図であって、凹部の底の部分に着色が施されている様子を示す図である。
【図８】他の例の凹部の断面形状を示す図であって、凹部に導光チューブが配置されている様子を示す図である。
【図９】図１とは別の装飾模様が施された遊技板の例を示す図である。
【図１０】図１、図９とは別の装飾模様が施された遊技板の例を示す図である。
【図１１】図１０の遊技板の左下部を拡大した図である。
【図１２】他の例の装飾模様が施された遊技板を示す図であって、図１１に対応する図である。
【発明を実施するための形態】
【００１３】
以下、本発明の実施例を、図面を参照しつつ詳細に説明する。
【実施例】
【００１４】
図１は、弾球遊技機に装着される遊技板１０の正面（使用者側の面）の図である。遊技板１０は、たとえばアクリル樹脂などの光透過性を有し、且つ、空気よりも高い屈折率を有する無色あるいは有色の板材であって、遊技板１０を弾球遊技機に装着するための複数の貫通孔１２を備える。遊技板１０の使用者側の面である表面の外周部には、図示しない帯状のガイドレールが環状に設けられる。遊技板１０の表面のうち、前記ガイドレールに囲まれた部分が弾球遊技機の遊技領域を形成する。遊技板１０の表面の前記遊技領域には、図示しない障害釘や風車などが配置され、遊技球の落下経路が変化させられる。
【００１５】
遊技板１０は、遊技板１０の表面に配置された前記障害釘を保持するのに充分な、たとえば１０ｍｍ程度の厚みを有する。遊技板１０の使用者側と反対の面である裏面には、長手状の凹部（凹溝）１４が切削により複数形成されることにより、互いに傾斜角度が異なる２種類の直線が等間隔で配置されて交差する、格子状の装飾模様が形成されている。凹部１４の深さは、前記障害釘や風車などの位置を考慮して、遊技板１０の強度が保たれるような位置および深さに形成される。また、凹部１４の間には、削り残された凸部（凸条）１６が遊技板１０の裏面に形成されている。図２は、横断面を示す凹部１４の図１のII−II視断面図であり、凹部１４の断面形状が三角形の場合を示している。
【００１６】
遊技板１０は光透過性を有するため、凹部１４や凸部１６は、弾球遊技機の使用者側に備えられる図示しないガラス扉と遊技板１０を介して、弾球遊技機の使用者側から視認することができる。凹部１４は、使用者側から観察すると、太さのある立体的な線として表わされ、立体感のある意匠を安価に弾球遊技機に施すことが可能となる。また、遊技板の後方に装飾部材を設けたり、遊技板１０の裏面側に後面装飾層を設けたりする必要がないので、弾球遊技機の装飾の製造コストが安価となる。また、凹部１４により、弾球遊技機内外の周囲の光の反射や屈折が起こるので、遊技板１０に施された立体的な装飾模様を浮かび上がらせるなど、視覚的な効果の高い意匠を施すことが可能である。
【００１７】
また、遊技板１０の裏面側から、例えば、図示しない発光ダイオードや電球などの光源素子により光をあてて透過させた場合は、凹部１４において、光の反射、屈折、拡散などが起こり、遊技板１０に施された立体的な装飾模様をさらに浮かび上がらせるなど、視覚的な効果を高めることができる。また、例えば、図１に示す遊技板１０の外周端面、或いは、内周端面近くに配置された白色光、または、有色光を出力する複数個の光源素子ＬＳから光を入射した場合は、遊技板１０の端面から入射された光が導かれて凹部１４により反射される。このようにすれば、遊技板１０に施された立体的な装飾模様をさらに浮かび上がらせるなど、視覚的な効果を高めることができる。
【００１８】
また、凹部１４の横断面が多角形、特に三角形であるので、周囲の光、裏面側からの透過光、端面から導光された光などの、反射や拡散が凹部１４により遊技板１０内に使用者側に突き出すように形成された凸状部の表面で起こるため、装飾の視覚的な効果がさらに高められる。
【００１９】
また、凹部１４は、少なくとも１カ所が相互に交差している。このため、凹部１４が太さのある立体的な線として表わされ、その立体的な線同士が交差するので、より立体感のある意匠を安価に弾球遊技機の遊技板１０に施すことが可能となる。
【００２０】
図３、図４、および、図５は、図２に対応する図であって、長手状の凹部の横断面の他の形状を例示する図である。図３に示す凹部５４の横断面の形状は半円型である。図４に示す凹部６４の横断面の形状は、矩形（長方形）の横断面の、その底辺の中央に、前記底辺より横幅が短いＶ字状の溝を有する形状の変形五角形である。図５に示す凹部７４の横断面の形状は矩形（長方形）である。
【００２１】
図６は、図５の凹部７４であって、深さが異なる２つの直線形状の凹部７４が交差した箇所を示す、図１の凹部のVI−VI視断面図である。このように、交差する箇所において、複数本の長手形状の凹部７４の深さが互いに異なるようにすれば、凹部７４が太さのある立体的な線として表わされ、その立体的な線同士が、遠近感を伴って交差するので、より立体感のある意匠を安価に弾球遊技機に施すことが可能となる。
【００２２】
図７は、他の例の長手状の凹部８４を示す断面図であって、凹部８４の底の部分に着色が施されている様子を示す、図２に対応する図である。凹部８４の横断面の形状は５角形であり、凹部８４の底の部分に着色用のインク８６が塗布されている。このように、凹部８４の表面の少なくとも一部に着色を施すようにすれば、使用者側から観察すると、インク８６によって着色された一部により意匠の陰影や色彩が強調されるので、より立体感のある鮮やかな意匠を安価に遊技板１０に施すことが可能となる。
【００２３】
図８は、他の例の長手状の凹部９４を示す断面図であって、凹部９４内に導光チューブ９６が配置されている様子を示す、図２に対応する図である。凹部９４の横断面の形状は、平行な２本の直線を半円で繋いだ、いわゆるＵ字状である。凹部９４の底には導光チューブ９６が配置される。導光チューブ９６は、例えば、光拡散物質を含むコアを有し、図示しない発光ダイオードなどにより照射されて導光チューブ９６の端部から伝播した光が散乱することで、導光チューブ９６の長手方向の全体または一部が発光するものである。このように、凹部９４に導光チューブ９６を配置すれば、導光チューブ９６の端部に光を照射する発光ダイオードを点灯や点滅させることにより、凹部９４内で導光チューブ９６が発光して、意匠の陰影や色彩がさらに強調されるので、使用者側から観察するとより立体感のある鮮やかな意匠を、前記弾球遊技機に施すことが可能となる。
【００２４】
図９は、上述した本実施例の別の装飾模様を示す図である。遊技板１１０では、線状の凹部（凹溝）１１４が切削により複数形成されている。また、凹部１１４の間には、削り残された凸部１１６が遊技板１１０の裏面に形成されている。遊技板１０では、直線状の凹部１４が裏面に形成されていたが、図９に示す遊技板１１０では、曲線状の凹部１１４、曲線状および凸部１１６、および、直線状の凸部１１６が裏面に形成されている。
【００２５】
図１０は、上述した本実施例の更に別の装飾模様を示す図であり、図１１は、図１０の遊技板１２０の左下部を拡大した図である。遊技板１２０の装飾模様では、例えば、凹部１２４が、図６の凹部７４のように凹部の深さが互いに異なるようにすることによって、装飾模様の重なりが表現されて、立体感が増すように装飾模様が形成される。また、凹部１２４の間には、削り残された凸部１２６が遊技板１２０の裏面に形成されている。
【００２６】
図１２は、図１１に対応するが、別の装飾模様を示す図である。この遊技板１３０の装飾模様では、凹部１３４は太さ（幅）が変化する溝として形成されている。この場合も、図６の凹部７４のように凹部の深さが互いに異なるようにすることによって、装飾模様の重なりが表現される。また、凹部１３４の間には、削り残された凸部１３６が遊技板１３０の裏面に形成されている。このように、図１２では、凹部１３４は、溝の深さに加えて幅も変化しており、より立体感が増すように装飾模様が形成されている。
【００２７】
上述した本実施例では、たとえば、遊技板１０、１１０、１２０、１３０の端面から光を照射し凹部１４、５４、６４、７４、８４、９４、１１４、１２４、１３４や凸部１６、１１６、１２６、１３６の側面に光を導いたり、凹部１４、５４、６４、７４、８４、９４、１１４、１２４、１３４や凸部１６、１１６、１２６、１３６の側面に光を照射したりすることにより、端面から導光された光や側面から照射された光が反射や屈折するので、遊技板１０、１１０、１２０、１３０に施された立体的な装飾模様をさらに浮かび上がらせて、視覚的な効果を高めることが可能である。
【００２８】
上述した本実施例の凹部１４、５４、６４、７４、８４、９４、１１４、１２４、１３４は、例えば、数値制御工作機械（ＮＣ工作機械）等に取り付けられた切削工具により、切削加工を行うことによって形成される。このため、たとえば遊技板の後方に装飾部材や、遊技板の裏面側に後面装飾層などを設けることなく、切削工程を追加するだけで立体感のある意匠を追加することができるため、設備投資を抑制することができ、弾球遊技機の装飾の製造コストが安価となる。
【００２９】
以上、本発明の実施例を図面に基づいて説明したが、本発明はその他の態様においても適用される。
【００３０】
例えば、上述した本実施例では、切削加工により凹部１４、５４、６４、７４、８４、９４、１１４、１２４、１３４や、部分的に削り残されることにより凸部１６、１１６、１２６、１３６が形成されていたが、レーザー加工や射出成型などにより凹部１４、５４、６４、７４、８４、９４、１１４、１２４、１３４や凸部１６、１１６、１２６、１３６が形成されていてもよい。また、削り残されることにより形成された凸部１６、１１６、１２６、１３６に、樹脂を塗布したり、凸形状に印刷を施したり、凸形状の物を貼ってもよい。さらに、凸部１６、１１６、１２６、１３６は、樹脂を塗布したり、凸形状に印刷を施したり、凸形状の物を貼ることにより、形成されていてもよい。
【００３１】
また、上述した本実施例では、直線状や曲線状の凹部１４、５４、６４、７４、８４、９４、１１４、１２４、１３４や凸部１６、１１６、１２６、１３６により、装飾模様が形成されていたが、文字が形成されていてもよい。また、凹部１４、５４、６４、７４、８４、９４、１１４、１２４、１３４および凸部１６、１１６、１２６、１３６の両方を組み合わせて、文字、または、装飾模様が形成されていてもよい。
【００３２】
また、上述した本実施例の凹部８４の底の部分には、着色用のインク８６が塗布されていたが、インクに限定されず、色のついた樹脂や塗料を塗布してもよい。また、凸部１６、１１６、１２６、１３６の表面の少なくとも一部に着色が施されていてもよい。
【００３３】
また、上述した本実施例の凹部９４には導光チューブ９６が配置されていたが、チューブ９６に代えて、光散乱物質を含有する導光用樹脂を、凹部９４の一部に配置や、塗布などしてもよい。また前記導光用樹脂で凹部９４を埋めるようにしてもよい。
【００３４】
また、遊技板１０、１１０、１２０、１３０の裏面の凹部１４、５４、６４、７４、８４、９４、１１４、１２４、１３４や凸部１６、１１６、１２６、１３６を、弾球遊技機の構造物、例えばモータや発光ダイオード等を設置する際の位置決めに使用できるように形成してもよい。さらに、遊技板１０、１１０、１２０、１３０の裏面の凹部１４、５４、６４、７４、８４、９４、１１４、１２４、１３４や凸部１６、１１６、１２６、１３６を、前記構造物を設置する空間の確保に使用できるように形成してもよい。このようにすれば、光透過性を有する遊技板の後方に、効果的に前記モータや発光ダイオードなどの構造物を設置できる。例えば、前記モータの駆動の様子をより近くで使用者に見せることができる。また、凹部１４、５４、６４、７４、８４、９４、１１４、１２４、１３４や凸部１６、１１６、１２６、１３６を照らす前記発光ダイオードを効果的に設置することもできる。このようにすれば、より奥行きのある立体的な意匠を、前記弾球遊技機に施すことが可能となる。
【００３５】
なお、上述したのはあくまでも本発明の実施例であり、本発明はその趣旨を逸脱しない範囲において当業者の知識に基づいて種々の変更、改良を加えた態様で実施することができる。
【符号の説明】
【００３６】
１０、１１０、１２０、１３０：遊技板    
１４、５４、６４、７４、８４、９４、１１４、１２４、１３４：凹部    
１１６、１２６、１３６：凸部    
８６：インク        
９６：チューブ    
【図１】
2019000134.tif 000003
【図２】
2019000134.tif 000004
【図３】
2019000134.tif 000005
【図４】
2019000134.tif 000006
【図５】
2019000134.tif 000007
【図６】
2019000134.tif 000008
【図７】
2019000134.tif 000009
【図８】
2019000134.tif 000010
【図９】
2019000134.tif 000011
【図１０】
2019000134.tif 000012
【図１１】
2019000134.tif 000013
【図１２】
2019000134.tif 000014